(57)【要約】【課題】  機械装置等の取付対象部材に回転灯本体１１を装着した場合においても、機械装置などの取付対象部材の振動が回転灯本体１１に伝達され難い回転灯を提供する。【解決手段】  基体１３と、基体１３に装着され透光性を有するグローブ１２とを含む回転灯本体１１を備え、回転灯本体１１が取り付けられる取付対象部材５０と、第１固定手段２５により緩衝部材４０を回転灯本体１１に取り付け、第２固定手段により緩衝部材４０を取付対象部材に取り付けることで、緩衝部材４０を介して、回転灯本体１１を取付対象部材に固定する。【選択図】        図１
2006302536.tif 000002
【特許請求の範囲】
【請求項１】
基体と、
前記基体に装着され透光性を有するグローブとを含む回転灯本体を備え、
前記回転灯本体が取り付けられる取付対象部材と、
第１固定手段により前記緩衝部材を前記回転灯本体に取り付け、
第２固定手段により前記緩衝部材を前記取付対象部材に取り付けることで、前記緩衝部材を介して、前記回転灯本体を前記取付対象部材に固定するようにした、回転灯。
【請求項２】
前記緩衝部材は、前記第１貫通孔と第２貫通孔とを有する板状弾性体を含み、
前記第１固定手段は、第１ネジを含み、
前記第２固定手段は、第２ネジを含み、
前記第１貫通孔に前記第１ネジを挿通して、前記緩衝部材を前記回転灯本体に固定し、
前記第２貫通孔に前記第２ネジを挿通して、前記緩衝部材を前記取付対象部材に固定した、請求項１に記載の回転灯。
【請求項３】
前記第１貫通孔内に設けられ、前記第１ネジの頭部を支持する第１筒状部材と、
前記第２貫通孔内に設けられ、前記第２ネジの頭部を支持する第２筒状部材と、
をさらに備える、請求項２に記載の回転灯。
【発明の詳細な説明】
【技術分野】
【０００１】
本発明は、回転灯に関し、特に、回転灯本体に伝達される振動が抑制された回転灯に関する。
【背景技術】
【０００２】
一般に回転灯は、自動機械や工作機械等の取付対象物に配置されて用いられている。そして、回転灯を取付対象物に装着する手段としては、例えば、特開２００３−３３８２０１号公報に記載された表示装置用取付構造がある。この表示装置用取付構造は、表示装置本体の基部を支承部に取り付けるためのものである。この取付構造は、表示装置の表示装置本体の基部をブラケットに取り付けるための構造であり、ブラケットは、例えば、機械装置本体の例えば側壁面に設けられ、ネジにより固定されている。
【特許文献１】特開２００３−３３８２０１号公報
【発明の開示】
【発明が解決しようとする課題】
【０００３】
しかし、上記従来の表示装置用取付装置においては、機械装置本体に振動が生じると、ブラケットにも当該振動が伝達され、ブラケットに装着された回転灯等の表示装置本体が振動するという問題があった。また、このように回転灯等の表示装置に振動が生じると、表示装置本体に誤作動等が生じるなどの問題があった。
【０００４】
本発明は、上記課題に鑑みてなされたものであり、その目的は、機械装置等の取付対象部材に回転灯本体を装着した場合においても、機械装置などの取付対象部材の振動が回転灯本体に伝達され難い回転灯を提供することである。
【課題を解決するための手段】
【０００５】
本発明に係る回転灯装着手段は、１つの局面では、基体と、基体に装着され透光性を有するグローブとを含む回転灯本体を備え、回転灯本体が取り付けられる取付対象部材と、取付対象部材に対して緩衝部材を介して回転灯本体を取り付け、第１固定手段により緩衝部材を回転灯本体に取り付け、第２固定手段により緩衝部材を取付対象部材に取り付けることで、緩衝部材を介して、回転灯本体を取付対象部材に固定する。好ましくは、緩衝部材は、第１貫通孔と第２貫通孔とを有する板状弾性体を含み、第１固定手段は、第１ネジを含み、第２固定手段は、第２ネジを含み、第１貫通孔に第１ネジを挿通して、緩衝部材を回転灯本体に固定し、第２貫通孔に第２ネジを挿通して、緩衝部材を取付対象部材に固定する。好ましくは、第１貫通孔内に設けられ、第１ネジの頭部を支持する第１筒状部材と、第２貫通孔内に設けられ、第２ネジの頭部を支持する第２筒状部材とを更に備える。
【発明の効果】
【０００６】
本発明に係る回転灯によれば、回転灯本体が装着される取付対象部材に生じる振動を回転灯本体に伝達されることを抑制することができる。
【発明を実施するための最良の形態】
【０００７】
図１から図５を用いて、本発明に係る実施の形態について説明する。
【０００８】
図１は、本実施の形態に係る回転灯１００の側断面図である。この図１に示されるように、回転灯１００は、回転灯本体１１と、回転灯本体１１を取付対象部材５０に装着する回転灯装着手段６０とを備えている。取付対象部材５０としては、工作機械などの機械装置に限られず、どのような部材であってもよい。回転灯本体１１は、中空状に形成されたボディー１３と、ボディー（基体）１３に装着され透明性を有するグローブ１２とを備えている。グローブ１２は、中空円柱状に形成されており、グローブ１２の下面には、外方に開口する開口部１２ａが形成されている。ボディー１３の上面側にも、外方に開口する開口部１３ａが形成されている。開口部１２ａの内周縁部には、ネジ部が形成されており、開口部１３ａの外周縁部には、開口部１２ａに螺合するネジ部が形成されている。これら開口部１２ａと開口部１３ａとに形成されたネジ部が螺合することにより、ボディー１３と、グローブ１２とが一体とされている。
【０００９】
このように一体形成されたボディー１３とグローブ１２との略中央部には、グローブ１２およびボディー１３の中心軸線上に沿って軸部１４が配置されている。この軸部１４の上端部には、取付部材７が固定されており、この取付部材７の上端部には、プリント基板２が固定されている。このプリント基板２の上面上であって、軸部１４の軸線上に位置する部分には、発光器としての、パワーＬＥＤ（Light Emitting Diode）１が配置されている。軸部１４は、筒状に形成されており、軸部１４の内部には、パワーＬＥＤ１に接続された配線が設けられている。この軸部１４内に配置された配線は、外部の供給電源に接続されている。
【００１０】
軸部１４の中央部付近には、主回転歯車８が回転可能に配置されている。この主回転歯車８は、軸部１４が挿入された筒部８ｂと、この筒部８ｂに連設され軸部１４に対して略直交する方向に配置された平板部８ａと、この平板部８ａの周縁部に配置された周壁部８ｄと、この周壁部８ｄの上端部に配置され、拡径するように配置された取付部８ｃとを備えている。そして、この主回転歯車８の内方には、プリント基板２や取付部材７が配置されている。また、主回転歯車８は、図示されないモータ等の.駆動部により軸部１４を中心に回転する。
【００１１】
さらに、主回転歯車８の上端部には、台２０が固定されており、この台２０の円形状の上面には、主反射ミラー５と、副反射ミラー２１とが配置されている。この台２０の中央部には、開口部２０ａが形成されており、この開口部２０ａからパワーＬＥＤ１が外方に露出している。主反射ミラー５は、放物線状に湾曲し、パワーＬＥＤ１を覆うように配置されている。また、主反射ミラー５のパワーＬＥＤ１側の表面には、パワーＬＥＤからの光を反射する反射面５ａが形成されている。そして、パワーＬＥＤ１は、反射面５ａの焦点の位置に配置されている。
【００１２】
副反射ミラー２１は、台２０の上面上に固定され、台２０の外周縁部から中央部に向けて延在する支持部２２と、この支持部２２の端部に形成され、パワーＬＥＤ１の近傍に配置された副反射部２３とを備えている。この副反射部２３は、上方に向かうに従って、台２０の中央部から外周縁部に向けて傾斜するように形成されており、パワーＬＥＤ１側の表面には、副反射面２４が形成されている。
【００１３】
回転灯装着手段６０は、ボディー１３の底面に配置された緩衝部材４０と、この緩衝部材４０をボディー１３および取付対象部材５０に固定する取付手段３０とを備えている。
【００１４】
緩衝部材４０は、板状に形成されており、平坦面とされた装着面４０ａと、この装着面４０ａに対して対向配置された装着面４０ｂとを備えている。そして、装着面４０ａは、ボディー１３の底面に当接されており、装着面４０ｂは、取付対象部材５０の表面に当接されている。
【００１５】
また、緩衝部材４０は、低反発ゴムなどの振動吸収部材から構成されている。すなわち、緩衝部材４０は、板状弾性体を含むように構成されている。なお、本実施の形態においては、緩衝部材４０は、単層により構成されているが、これに限られない。例えば、複数の層により構成されてもよい。取付手段３０は、緩衝部材４０を取付対象部材５０に固定する固定手段２６と、この固定手段２６の両側方に配置され、緩衝部材４０を取付対象部材５０に固定する固定手段２５とを備えている。
【００１６】
固定手段２５は、緩衝部材４０の表面のうち、取付対象部材５０側の表面に形成された凹部４１と、この凹部４１の底面に連設された貫通孔４４と、この貫通孔４４内に配置される取付ネジ３２と、ボディー１３の底面に形成され、取付ネジ３２のネジ部に対応するネジ部が形成されたネジ穴部４３と、貫通孔４４の内壁面に配置されたストッパー３８と、凹部４１の底面に配置された平ワッシャ３７とを備えている。取付ネジ３２は、ネジ部が形成された軸部３２ａと、この軸部３２ａの端部に形成され、貫通孔４４の開口径より大径に形成された膨出部３２ｂとを備えている。
【００１７】
ここで、凹部４１内に取付ネジ３２の膨出部３２ｂが収納されている。このため、固定手段２５が緩衝部材４０を回転灯本体１１に固定する際に、膨出部３２ｂが装着面４０ｂの表面から突出することが防止されている。このため、緩衝部材４０の装着面４０ｂと、回転灯本体１１との表面との密着性が確保されている。
【００１８】
固定手段２６は、ボディー１３の底面に形成された凹部５１ｂと、緩衝部材４０の表面のうち、ボディー１３が配置される側の表面に形成された凹部５１ａと、この凹部５１ａの底面に連設された貫通孔４２と、緩衝部材４０の表面のうち、ボディー１３側の表面から貫通孔４２内に挿入されたボルト３１と、このボルト３１に螺合するナット３３とを備えている。ボルト３１は、ネジ部が形成された軸部３１ｂと、この軸部３１ｂの端部に形成され、断面形状が六角形状の膨出部３１ａとを備えている。ナット３３は、取付対象部材５０の表面のうち、緩衝部材４０および回転灯本体１１が配置された表面と対向配置された表面側に配置されている。そして、ナット３３と、取付対象部材５０との間には、平ワッシャ３５と、スプリングワッシャ３４とが配置されている。また、貫通孔４２の内壁面には、ストッパー３６が配置されている。ここで、ボルト３１の膨出部３１ａは、凹部５１ａ内と凹部５１ｂ内とに収納されている。このため、緩衝部材４０をボディー１３の底面に装着する際に、膨出部３１ａが、ボディー１３の底面に接触することが抑制されている。
【００１９】
このように、緩衝部材４０は、固定手段２５により回転灯本体１１に固定されており、また、固定手段２６により、取付対象部材５０に固定されている。換言すれば、回転灯本体１１は、直接取付対象部材５０に固定されておらず、緩衝部材４０を介して取付対象部材５０に固定されている。
【００２０】
ここで、緩衝部材４０を固定する際に、固定手段２６が緩衝部材４０に加える方向と、固定手段２５が応力を加える方向とは、互いに反対方向とされている。その一方で、固定手段２５は、固定手段２６の両側方に配置されているため、緩衝部材４０と、ボディー１３および取付対象部材５０との接触が良好に接触する。
【００２１】
そして、固定手段２５と、固定手段２６とは、緩衝部材４０を挟みこむように配置されている。すなわち、緩衝部材４０の一部は、ボルト３１と、取付ネジ３２とにより挟みこまれており、緩衝部材４０のボディー１３側は、取付ネジ３２とボルト３１とにより挟持されている。
【００２２】
なお、本実施の形態においては、ボディー１３の底面に緩衝部材４０が配置されているが、これに限られない。すなわち、緩衝部材４０は、回転灯本体１１の表面上と、取付対象部材５０の表面上との間に配置されておればよい。また、本実施の形態においては、緩衝部材４０の固定手段２５、２６として、ネジやボルトが用いられているが、これに限られない。すなわち、回転灯本体１１を緩衝部材４０を介して固定することができる手段であればよい。
【００２３】
図２は、回転灯１００の底面図である。
【００２４】
この図２に示されるように、緩衝部材４０の中央部には、厚さ方向に貫通する開口部４６ｃと、この開口部４６ｃの周囲に環状配置された張出部４６ｂとが形成されている。
【００２５】
開口部４６ｃには、図１に示すパワーＬＥＤ１に接続された配線が通されている。図２において、張出部４６ｂは、緩衝部材４０の底面４６ａから膨出するように形成されており、この張出部４６ｂには、貫通孔４２と、この貫通孔４２の両側方に配置された凹部４１とが形成されている。このように、ボルト３１および取付ネジ３２が挿入される部分は、厚肉に形成されているため、図１に示す取付対象部材５０からの振動がボルト３１に伝達されたとしても、ボルト３１に伝達された振動が、図１に示す回転灯本体１１および取付ネジ３２に伝達され難くなっている。そして、図２において、張出部４６ｂの上端面は、装着面４０ｂの一部を構成している。
【００２６】
また、この張出部４６ｂが、開口部４６ｃを中心に３箇所に環状配置され、取付手段３０が環状配置されている。このように、取付手段３０が複数配置されているため、図１において、緩衝部材４０とボディー１３および取付対象部材５０との密着性が確保される。なお、本実施の形態においては、取付手段３０は環状に３箇所に配置されているが、１箇所または複数箇所に形成されておればよい。また、本実施の形態においては、回転灯装着手段６０は、ボディー１３の底面側に配置されているが、これに限られない。例えば、ボディー１３の側面でもよく、また、グローブ１２側に配置されてもよい。
【００２７】
上記のように構成された回転灯１００の取付方法について説明する。図３は、回転灯本体１１を取付対象部材５０に装着するための第１工程を示す下面側からの斜視図である。この図３に示されるように、回転灯本体１１を固定するには、まず、ボディー１３の底面側にボルト３１を配置する。そして、このボルト３１の下端部側に緩衝部材４０を配置する。そして、この緩衝部材４０に形成された凹部４１内にストッパー３８を挿入すると共に、平ワッシャ３７に挿入された取付ネジ３２を凹部４１内に挿入する。
【００２８】
図４は、回転灯本体１１を取付対象部材５０に固定する第１工程を示す上面側からの斜視図である。この図４に示されるように、緩衝部材４０に形成された凹部５１ａは、ボルト３１の膨出部３１ａの形状に沿うように断面形状が六角形状に形成されている。そして、ボルト３１の軸部３１ｂには、ストッパー３６が挿入されている。
【００２９】
図５は、回転灯本体１１を取付対象部材５０に固定する第２工程を示した下面側からの斜視図である。この図５に示されるように、ボルト３１が貫通孔４２内に挿入され、軸部３１ｂの下端部が緩衝部材４０の下面側から突出する。また、取付ネジ３２がボディー１３に固定されると共に、取付ネジ３２の膨出部３２ｂが緩衝部材４０をボディー１３に押圧固定する。
【００３０】
ここで、図１において、取付ネジ３２の膨出部３２ｂは、平ワッシャ３７を介して緩衝部材４０を押圧する。このため、膨出部３２ｂから緩衝部材４０に加えられる応力は、平ワッシャ３７の底面から均等に分布する。このように、取付ネジ３２からの応力が集中することが抑制されているため、緩衝部材４０が過大に圧縮されることが抑制されている。このため、取付ネジ３２により緩衝部材４０をボディー１３の底面に装着した場合においても、緩衝部材４０の緩衝機能が確保される。そして、取付ネジ３２が挿入された貫通孔４４内には、膨出部３２ｂを支持するストッパー３８が配置されているため、膨出部３２ｂと、ボディー１３の底面との距離は、このストッパー３８により規定される。このため、膨出部３２ｂが緩衝部材４０に加える押圧力の上限が規定される。このため、緩衝部材４０が取付ネジ３２により過大に圧縮され、緩衝部材４０の収縮機能が阻害されることが抑制されている。
【００３１】
そして、図１に示されるように、取付対象部材５０に形成された貫通孔５０ａ内にボルト３１の軸部３１ｂを挿入する。そして、軸部３１ｂには、取付対象部材５０の表面のうち、緩衝部材４０が配置された表面と対向配置された表面側で、ナット３３が固定される。このようにナット３３が軸部３１ｂに固定されると、ボルト３１の膨出部３１ａが緩衝部材４０を取付対象部材５０側に押圧して、緩衝部材４０を取付対象部材５０に固定する。
【００３２】
ここで、ボルト３１が挿入された貫通孔４２内には、膨出部３１ａを支持するストッパー３６が挿入されているため、膨出部３１ａと、取付対象部材５０の表面とが最も近接する距離が規定され、膨出部３１ａが緩衝部材４０に加える押圧力の上限が規定される。このように膨出部３１ａが緩衝部材４０に加える押圧力の上限が規定されると、緩衝部材４０が膨出部３１ａにより過大に圧縮されることが抑制され、緩衝部材４０の収縮機能が確保されている。
【００３３】
このように取付手段３０は、緩衝部材４０を回転灯本体１１に固定すると共に、固定手段２６が緩衝部材４０を取付対象部材５０に固定するため、回転灯本体１１は、緩衝部材４０を介して取付対象部材５０に固定される。
【００３４】
また、緩衝部材４０は、複数の取付手段３０により、回転灯本体１１または、取付対象部材５０に固定されているため、回転等の変位が生じ難く、良好に取付対象部材５０と回転灯本体１１との間に固定されている。そして、取付対象部材５０に振動が生じた場合においても、緩衝部材４０が振動を吸収し、回転灯本体１１に振動が伝達されることが抑制される。例えば、回転灯本体１１と、取付対象部材５０とを近接または離間させる方向に振動が生じた場合には、緩衝部材４０は、固定手段２５と固定手段２６とにより、回転灯本体１１から取付対象部材５０への方向に引張または圧縮される。このため、取付対象部材５０に生じた振動が、緩衝部材４０の変形エネルギに消費されるため、取付対象部材５０に生じた振動が回転灯本体１１に伝達されることが抑制されている。
【００３５】
また、緩衝部材４０の一部が固定手段２６と、固定手段２５とにより挟まれている。このため、取付対象部材５０に、取付対象部材５０の表面に沿う方向に振動が生じると、固定手段２５と、固定手段２６との間に位置する緩衝部材４０は、固定手段２５と固定手段２６とにより伸縮、圧縮、捩れ、または曲げられる。このように、固定手段２５と、固定手段２６との間に位置する緩衝部材４０が伸縮または圧縮等されると、取付対象部材５０からの振動エネルギが、緩衝部材４０の内部摩擦に消費される。このため、固定手段２５に、取付対象部材５０からの振動エネルギが伝達され難く、回転灯本体１１に振動が伝達されることが抑制されている。
【００３６】
上記のように構成された回転灯装着手段６０および回転灯１００においては、回転灯本体１１が取付られる取付対象部材５０に振動が生じたとしても、回転灯本体１１に振動が伝達されることを抑制することができる。このように、回転灯本体１１に振動が伝達され難いため、回転灯本体１１内に配置されたパワーＬＥＤ１等の部材の長寿命化を図ることができる。
【００３７】
以上のように本発明の実施の形態について説明を行なったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【産業上の利用可能性】
【００３８】
本発明は、回転灯に関して好適である。
【図面の簡単な説明】
【００３９】
【図１】本実施の形態に係る回転灯の側断面図である。
【図２】回転灯の底面図である。
【図３】回転灯本体を取付対象部材に装着するための第１工程を示す下面側からの斜視図である。
【図４】回転灯本体を取付対象部材に固定する第１工程を示す上面側からの斜視図である。
【図５】回転灯本体を取付対象部材に固定する第２工程を示した下面側からの斜視図である。
【符号の説明】
【００４０】
１１  回転灯本体、１２  グローブ、１３  ボディー、２５  固定手段、２６  固定手段、３０  取付手段、４０  緩衝部材、５０  取付対象部材、６０  回転灯装着手段、１００  回転灯。
【図１】
2006302536.tif 000003
【図２】
2006302536.tif 000004
【図３】
2006302536.tif 000005
【図４】
2006302536.tif 000006
【図５】
2006302536.tif 000007